(57)【要約】【課題】一定の高さを持たない被包装物、例えば、中央部から十字方向へ次第に高さを低くする形状をした物品又は多数の物品を一纏めにしたときにそのような形になるものを包装するのに適する包装ケースを提供すること。【解決手段】包装ケース１は、一対の第１，第２折曲線３ａ，３ｂおよびこれら第１，第２折曲線に直交し、一対の第３，第４折曲線３ｃ，３ｄで囲まれる底板部４を有する。包装ケース１は、さらに、底板部４の各折曲線を介して横方向へ張出した蓋板部５および第１挟持板部６、縦方向へ張出した第２，第３挟持板部７，８とを有する。蓋板部５における横方向の長さ寸法は、底板部４のそれより長い寸法に形成されている。【選択図】      図１
2004149194.tif 000002
【特許請求の範囲】
【請求項１】
四辺形の底板部と、前記底板部の第１辺に折曲可能に連接して前記底板部の内面に対向する蓋板部と、前記第１辺に対向する前記底板部の第２辺に折曲可能に連接して前記底板部の内面に対向し前記底板部と前記蓋板部との間に介在する第１挟持板部と、前記第１及び第２辺の間をそれぞれ結ぶ第３及び第４辺にそれぞれ折曲可能に連接して前記底板部の内面に対向し前記第１辺側寄りにおいて前記底板部と前記蓋板部との間のみで介在し、かつ、前記第２辺側寄りにおいて前記底板部と前記第１挟持板部との間のみで介在する一対の第２及び第３挟持板部とを有しており、前記第１辺とこれに対向する前記蓋板部の第５辺との間の第１長さ寸法が、前記底板部の前記第１及び第２辺間の第２長さ寸法よりも大きい包装ケース。
【請求項２】
前記蓋板部が四辺形である請求項１に記載の包装ケース。
【請求項３】
前記第２辺とこれに対向する前記第１挟持板部の第６辺との間の第３長さ寸法が、前記第２長さ寸法のほぼ１０分の４以下である請求項１又は２に記載の包装ケース。
【請求項４】
前記第３及び第４辺のそれぞれとこれらに対向する前記第２及び第３挟持板部の第７及び第８辺のそれぞれとの間の前記第２及び第３挟持板部の最も大きい部位における第４長さ寸法が、前記第３長さ寸法よりも小さい請求項１ないし３のいずれかに記載の包装ケース。
【請求項５】
前記第２及び第３挟持板部の前記第７及び第８辺が凸状に形成されている請求項１ないし４のいずれかに記載の包装ケース。
【請求項６】
前記蓋板部と前記第１挟持板部とが、それらの互いに重なり合う領域に、前記蓋板部の閉じ状態を保持するための互いに離脱可能な係止手段を備えている請求項１ないし５のいずれかに記載の包装ケース。
【発明の詳細な説明】
【０００１】
【発明の属する技術分野】
本発明は、包装ケースに関し、さらに詳細には、例えば、茶葉・コーヒー粉末などを漉すための複数のフィルター用袋を積層して包装するのに適する包装ケースに関する。
【０００２】
【従来の技術】
従来、被包装物を載せる矩形状の底板部と、この底板部の４周に折曲線の領域を介して被包装物を被覆するための張出し片とを含む包装具が知られている（例えば、特許文献１参照）。この包装具は、十字形のベースシートから構成されていて、被包装物である冊子状物品の高さが異なる場合でも、それに対応できるように調整用の複数条からなる前記折曲線の領域が形成されている。
【０００３】
【特許文献１】
登録実用新案第３０８０９７２号公報
【０００４】
【発明が解決しようとする課題】
特許文献１に記載された包装具は、高さが異なる被包装物を包装するのに便利であるが、そのためには前記折曲線の領域を比較的大きく設ける必要があるので、全域にわたってほぼ均一の高さ（厚さ）を持たない被包装物、例えば、中央部から周辺方向へ次第に高さが低い特定数の被包装物を包装することを目的とする包装ケースとしては不適である。そうした比較的大きい領域の折曲線は、特定数の被包装物の包装用としては、不要であるばかりでなく、被包装物を包装したとき、前記折曲線の領域を介して位置する前記張出し片の互いに重なり合う領域が大きくなり、それだけ嵩が増すからである。そのように嵩が増すと、被包装物を包装した多数の包装ケースを横又は縦方向に重ね合わせた場合、それらの占有空間が大きくなるという問題が生じる。
【０００５】
本発明の課題は、前述のような特定数の被包装物の包装状態を整然と保つとともに妄りに嵩を増すことのない包装ケースを提供することにある。
【０００６】
【課題を解決するための手段】
前記課題を解決するための本発明に係る包装ケースは、四辺形の底板部と、前記底板部の第１辺に折曲可能に連接して前記底板部の内面に対向する蓋板部と、前記第１辺に対向する前記底板部の第２辺に折曲可能に連接して前記底板部の内面に対向し前記底板部と前記蓋板部との間に介在する第１挟持板部と、前記第１及び第２辺の間をそれぞれ結ぶ第３及び第４辺にそれぞれ折曲可能に連接して前記底板部の内面に対向し前記第１辺側寄りにおいて前記底板部と前記蓋板部との間のみで介在し、かつ、前記第２辺側寄りにおいて前記底板部と前記第１挟持板部との間のみで介在する一対の第２及び第３挟持板部とを有しており、前記第１辺とこれに対向する前記蓋板部の第５辺との間の第１長さ寸法が、前記底板部の前記第１及び第２辺間の第２長さ寸法よりも大きくされている。
【０００７】
本発明は、次の実施の形態を含む。
【０００８】
前記蓋板部が四辺形であること、前記第２辺とこれに対向する前記第１挟持板部の第６辺との間の第３長さ寸法が、前記第２長さ寸法のほぼ１０分の４以下であること、前記第３及び第４辺のそれぞれとこれらに対向する前記第２及び第３挟持板部の第７及び第８辺のそれぞれとの間の前記第２及び第３挟持板部の最も大きい部位における第４長さ寸法が、前記第３長さ寸法よりも小さいこと、前記第２及び第３挟持板部の前記第７及び第８辺が凸状に形成されていること、および前記蓋板部と前記第１挟持板部とが、それらの互いに重なり合う領域に、前記蓋板部の閉じ状態を保持するための互いに離脱可能な係止手段を備えていること。
【０００９】
【発明の実施の形態】
添付の図面を参照し、本発明に係る包装ケースの実施の形態を説明すると、以下のとおりである。
【００１０】
図１は、包装ケース１を展開した状態で示す斜視図である。図１では、横方向を矢印Ｘで示し、縦方向を矢印Ｙで示す。この包装ケース１は、板紙などの素材シートを所要形状に打ち抜いた一枚のベースシート２から形成されている。包装ケース１は、縦方向へ延びる平行な一対の第１，第２折曲線（辺）３ａ，３ｂおよびこれら第１，第２折曲線３ａ，３ｂに直交し、横方向へ延びる平行な一対の第３，４折曲線（辺）３ｃ，３ｄで囲まれる四辺形の底板部４を有する。さらに、包装ケース１は、第１，第２折曲線３ａ，３ｂを介して底板部４に連接して横方向に張出す四辺形の蓋板部５と、四辺形の第１挟持板部６と、第３，第４折曲線３ｃ，３ｄを介して底板部４から縦方向に張出す一対の半円形状の第２，第３挟持板部７，８とを有する。蓋板部５と第１挟持板部６とには互いに重なり合う領域に連結するための係止手段９が形成されている。
【００１１】
蓋板部５は、第１折曲線３ａに平行な辺５ａを有するとともに横方向の長さ寸法Ｌ１が底板部４における横方向の長さ寸法Ｌ２よりも大きく、かつ縦方向の長さ寸法が底板部４における縦方向の長さ寸法に等しい。第１挟持板部６は、第２折曲線３ｂに平行な辺６ａを有するとともに横方向の長さ寸法Ｌ３が底板部４における横方向の長さ寸法Ｌ２よりも小さい。前記長さ寸法Ｌ３は、前記長さ寸法Ｌ１のほぼ１０分の４以下である。第２，第３挟持板部７，８は、辺７ａ，８ｂがそれぞれ第３，第４折曲線３ｃ，３ｄとは反対側の縦方向へ向かって凸状に湾曲した円弧を呈し、その縦方向の長さ寸法Ｌ４は、ほぼ横方向二等分位置において最大に張出している部位で、前記長さ寸法Ｌ３よりも小さい。
【００１２】
前述のように、第１，第２，第３挟持板部６，７，８が前記形状及び前記長さ寸法Ｌ３，Ｌ４を有する関係にあるから、包装ケース１を図２のように組立てたとき、第２，第３挟持板部７，８は、第１折曲線３ａ側寄りにおいて底板部４と蓋板部５との間のみで介在し、かつ、第２折曲線３ｂ側寄りにおいて底板部４と第１挟持板部６との間のみで介在する関係になる。こうした関係においては、後述する図５から理解されるように、第１，第２，３挟持板部６，７，８が重なり合っていても、その重なり合う部位が被包装物２０の高さが低い側部２０ｃに位置するから、すなわち、被包装物２０の最も高い中央部に位置しないから、その包装状態の嵩を増すことにはならない（後記００１７段落参照）。
【００１３】
係止手段９は、底板部４の第１折曲線３ａとは反対側の蓋板部５の辺５ａ近傍に第１折曲線３ａへ向かって凸状となるように設けられた円弧状のスリット９ａによって画成された係止片９ｂと、蓋板部５が第１挟持板部６に重ねられたときに蓋板部５の係止片９ｂが差込み可能に第１挟持板部６に形成されたスリット９ｃとから構成されている。蓋板部５には、その辺５ａに直角に交差して連接する辺５ｂから張出した吊下げ用の突片１０が設けられ、この突片１０には円形の開口１１が形成されている。
【００１４】
図２は、被包装物を入れずにベースシート２を包装ケース１に組立てる過程を示す斜視図、図３は、図２の状態から完全に組立てられた包装ケース１を扁平にして示す斜視図、図４は図３のＩＶ−ＩＶ線で切断して示す包装ケース１の断面図である。図１に示すベースシート２を図３に示す扁平な包装ケース１に組立てるには、最初に、第２および第３挟持板部７，８を第３、４折曲線３ｃ，３ｄで折曲して底板部４に重ね、次いで第１挟持板部６を第２折曲線３ｂで折曲して、既に折曲した第２および第３挟持板部７，８の上に重ね、最後に蓋板部５を第１折曲線３ａで折曲して、既に折曲した第２，第３挟持板部７，８および第１挟持板部６の上に重ねる。
【００１５】
蓋板部５は、前記長さ寸法Ｌ１が前記長さ寸法Ｌ２よりも長く形成されているので、図２に示すように包装ケース１に被包装物を入れずに組立て、かつ扁平にすると、蓋板部５の辺５ａは、底板部４の外側へ第２折曲線３ｂを越えて寸法Ｓだけ突出する。包装ケース１が被包装物を入れずに組立てられて、図３，４のように扁平にされたとき、蓋板部５に形成された係止片９ｂは、その先端部が第１挟持板部６に形成されたスリット９ｃに差込み可能である。
【００１６】
図５は、図４に示す包装ケース１において、底板部４上に配置された被包装物２０を蓋板部５が完全に覆って第１挟持板部６に連結された状態を示す、図３のＩＶ−ＩＶ線と同じ位置で切断して示す断面図である。被包装物２０は、底板部４上に配置し得る大きさのものであり、それを上方から見て、その上面部２０ａが中央部から十字方向へ下り傾斜している。すなわち、被包装物２０では、それを平面で見て、ほぼ中央部での高さ寸法が最も大きく、中央部から十字方向へ向かって次第にその高さ寸法が小さくなる山形を呈している。この被包装物２０は、一物品でも又はは多数の物品を積層して一纏めにしたときにそのような形になるものであってもよい。被包装物２０は、高さの低い側部（図５に、対向する一対の側部２０ｂ，２０ｃのみが示されている）がそれぞれ折曲線３ａ〜３ｄの側に位置するように底板部４上に配置される。
【００１７】
被包装物２０が底板部４上に配置されると、第２，第３挟持板部７，８が第３，第４折曲線３ｃ，３ｄで折曲され、被包装物２０において高さの低い側部から高さの高い中央部へ至る傾斜面を覆う。その後、第１挟持板部６が第２折曲線３ｂで折曲されて、第２および第３挟持板部７，８と同様に被包装物２０の傾斜面を覆う。最後に、蓋板部５が第１折曲線３ａで折曲されて被包装物２０の上面部２０ａに密着するように被せられ、その辺５ａの側が、傾斜している第１挟持板部６上に重ねられる。底板部４には、第３，第４折曲線３ｃ，３ｄを介して第２および第３挟持板部７，８が縦方向へ張出しているので、被包装物２０が蓋板部５によって上方から押圧されても第２，第３挟持板部７，８がリブとなって底板部４がその表面に直交する方向へ湾曲することがなく、平坦な状態を保つ。そのため、蓋板部５が、被包装物２０の上面部２０ａに沿うように湾曲（変形）してこれを覆う。その結果、蓋板部５における第１折曲線３ａと辺５ａとの距離が短縮する。しかし、包装ケース１の扁平時における蓋板部５の横方向の長さ寸法は、底板部４より寸法Ｓだけ長いので、寸法Ｓの長さ分が、その短縮分を補い、蓋板部５の側縁部５ａは、底板部４の第２折曲線３ｂ上又はそれに近接した位置にくる。そのとき、底板部５に形成されている係止手段９の係止片９ｂは、第１挟持板部６のスリット９ｃに包装ケース１の扁平時よりも深く差込まれ、蓋板部５が第１挟持板部６に連結される。
【００１８】
この包装ケース１で包装する被包装物２０としては、被包装物２０を覆って湾曲（変形）する蓋板部５の辺５ａの側が第１挟持板部６に重ねられたとき、辺５ａが底板部４の第２折曲線３ｂ上に位置するような中央部の高さを有するものであることが好ましい。この包装ケース１では、この好ましい大きさの被包装物２０と比較して、中央部が多少高くなった被包装物２０又は中央部が多少低くなった被包装物２０を包装する場合でも、蓋板部５の辺５ａが第１挟持板部６の上面において第２折曲線３ｂの近傍に位置するか、又は第２折曲線３ｂを越えて外方へ僅かに突出するだけで、蓋板部５が湾曲して被包装物２０を覆う形態にかわりはない。
【００１９】
蓋板部５は、包装する前の状態では平坦な板紙であるので、被包装物２０の上面部２０ａに密着して覆うことで湾曲させられると、元の平坦な状態に戻ろうとして辺５ａの側が第１挟持板部６から離れる方向に跳ね上がろうとする。しかし、係止片９ｂが第１折曲線３ａの側に向いているので、係止片９ｂが第１挟持板部６のスリット９ｃから容易に抜けることはなく、蓋板部５の第１挟持板部６に対する連結状態が維持される。
【００２０】
この包装ケース１により包装する物品としては、フィルター用袋が適当である。このフィルター用袋は、例えば削り節や煮干しなどの煮出しに使用したり、茶葉やコーヒー粉末を入れて抽出するのに使用されるもので、一般的には透液性の不織布又は熱可塑性合成樹脂からなる透液性の開口プラスチックフィルムなどの透液性のシートから形成された矩形のものである。このフィルター用袋を数十枚積み重ねて一纏めにして被包装物２０とすると、その中央部の剛性が各側部の側より大きくなる。したがって、被包装物２０を上方から押圧すると、中央部より各側部の側が一層圧縮され、小山状になりやすい。このようにフィルター用袋を数十枚積み重ねて一纏めにされた被包装物２０を包装した包装ケース１は、スーパーマーケットの商品棚などに設置されている吊り下げ用ロッドに突片１０の開口１１を利用して吊り下げられて販売される。
【００２１】
この包装ケース１によると、フィルター用袋を数十枚積み重ねて一纏めにして樹脂フィルム製の袋に収納して被包装物２０とし、これを包装ケース１で包装すると、包装ケース１の内部に余分な隙間を作ることなく包装することができ、包装効率を高めることができる。また、フィルター用袋の枚数に多少の増減があっても、この包装ケース１で十分に対応することができる。さらに、被包装物２０を包装する前に、この包装ケース１を輸送したり保管したりするときには、これを図３に示すように組立てて扁平にし、蓋板部５を第１挟持板部６に係止手段９で連結しておけば、矩形状をした薄い板部材となるため、取り扱いやすく、輸送や保管の効率も向上する。
【００２２】
【発明の効果】
本発明に係る包装ケースによれば、一定の高さを持たない被包装物、例えば、中央部から十字方向へ次第に高さを低くする物品又は多数の被包装物品を積層して一纏めにしたときにそのような形になるものを包装するとき、内部に余分な隙間を作ることなく、整然とした外観に包装することができるとともに、蓋板部と第１，第２，第３挟持板部とが互いに重なり合う関係にあるにもかかわらず、これら重なり合う部位が、被包装物の高さの低い側部に位置するから、被包装物の最も高い中央部位に位置して包装状態の嵩を増すことがなく、当該物を陳列するような場合、占有空間を妄りに大きくすることがない。
【００２３】
さらにまた、本発明に係る包装ケースでは、被包装物を包装する前に、この包装ケースを輸送したり保管したりするときには、これを組立てて扁平にすれば、単なる板部材として取り扱うことができるので、輸送や保管の効率も向上する。
【図面の簡単な説明】
【図１】一実施形態の包装ケースを展開して示すベースシートの斜視図。
【図２】被包装物が入れずに包装ケースを組立てる途中の状態を示す斜視図。
【図３】被包装物が入れられていない包装ケースを扁平にして示す斜視図。
【図４】図３のＩＶ−ＩＶ線で切断して包装ケースを示す断面図。
【図５】被包装物を入れた包装ケースを、図３のＩＶ−ＩＶ線と同位置で切断して示す断面図。
【符号の説明】
１  包装ケース
２  ベースシート
３ａ  第１折曲線（第１辺）
３ｂ  第２折曲線（第２辺）
３ｃ  第３折曲線（第３辺）
３ｄ  第４折曲線（第４辺）
４  底板部
５  蓋板部
５ａ  辺（第５辺）
６  第１挟持板部
６ａ  辺（第６辺）
７，８  第２および第３挟持板部
７ａ  辺（第７辺）
８ａ  辺（第８辺）
９  係止手段
９ａ  スリット
９ｂ  係止片
９ｃ  スリット
２０  被包装物
Ｌ１  第１長さ寸法
Ｌ２  第２長さ寸法
Ｌ３  第３長さ寸法
Ｌ４  第４長さ寸法
【図１】
2004149194.tif 000003
【図２】
2004149194.tif 000004
【図３】
2004149194.tif 000005
【図４】
2004149194.tif 000006
【図５】
2004149194.tif 000007